(57)【要約】    【課題】      同一移動体に存在する移動端末の位置情報の登録更新に要する電力消費を低減する無線ネットワーク制御局装置及び位置登録更新制御方法を提供する。    【解決手段】  ＵＥ１００において測定され、ＵＥ１００から送信された下り物理チャネルの受信強度をグループ化処理部２０４において保持し、受信強度の時間変動パターンをＵＥ毎に生成した結果、同一の時間変動パターンとなるＵＥをグループ化する。測定情報制御部２０５では、グループ化されたＵＥの位置更新タイミングをＵＥ毎に元の位置更新間隔Ｔ１ずつずらし、位置更新間隔をグループ化されたＵＥ数倍した値Ｔ２に設定する。  【選択図】      図１
2006222542.tif 000002
【特許請求の範囲】
【請求項１】
同一移動体に存在する複数の移動端末をグループ化するグループ化処理手段と、
グループ化された移動端末の位置情報を前記グループ化した移動端末に更新させるタイミング及び更新間隔を変更する位置登録更新制御手段と、
を具備することを特徴とする無線ネットワーク制御局装置。
【請求項２】
前記グループ化処理手段は、移動端末から報告された下り物理チャネルの受信強度の時間変動パターンに基づいて、移動端末をグループ化することを特徴とする請求項１に記載の無線ネットワーク制御局装置。
【請求項３】
前記位置登録更新制御手段は、グループ化された移動端末毎に位置情報を更新させるタイミングをずらし、グループ化されていない移動端末における位置情報の更新間隔に対してグループ化された移動端末数で乗じた値をグループ化された移動端末における位置情報の更新間隔とすることを特徴とする請求項１又は請求項２に記載の無線ネットワーク制御局装置。
【請求項４】
同一移動体に存在する複数の移動端末をグループ化するグループ化処理工程と、
グループ化した移動端末の位置情報を前記グループ化した移動端末に更新させるタイミング及び更新間隔を変更する位置登録更新制御工程と、
を具備することを特徴とする位置登録更新制御方法。
【発明の詳細な説明】
【技術分野】
【０００１】
本発明は、移動端末の位置情報を管理する無線ネットワーク制御局装置及び位置登録更新制御方法に関する。
【背景技術】
【０００２】
Ｗ−ＣＤＭＡ（Wideband-Code Division Multiple Access）方式では、無線ネットワーク制御装置が、移動端末（ＵＥ）から報告される受信強度情報、位置更新情報、トラヒック量情報等の測定情報を基に、無線ネットワーク内のＵＥの位置管理、ハンドオーバ制御及びチャネル設定制御等を行う。
【０００３】
図５は、非特許文献１に開示された移動通信システムの構成を示している。この図において、移動通信システムは、ＵＥ１１〜１３、無線基地局装置（Ｎｏｄｅ Ｂ）２１〜２４、Ｎｏｄｅ Ｂ２１〜２４を制御する無線ネットワーク制御装置（ＲＮＣ）３１，３２、ＵＥの位置管理、呼制御などを行なうコアネットワーク（ＣＮ）４０を備えている。
【０００４】
図６は、図５に示したＵＥとＲＮＣの制御系のシステム構成を示すブロック図である。図６では、図５のＵＥ１１〜１３の代表をＵＥ１０と表記し、Ｎｏｄｅ Ｂ２１〜２４の代表をＮｏｄｅ Ｂ２０と表記し、ＲＮＣ３１、３２を代表してＲＮＣ３０と表記する。
【０００５】
まず、ＵＥ１０の構成について説明する。受信部５１は、Ｎｏｄｅ Ｂ２０から送信された無線フレームを受信し、受信した無線フレームに所定の受信処理を行い、受信処理した信号を測定情報設定部５２及び受信電力測定部５３に出力する。
【０００６】
測定情報設定部５２は、受信部５１から出力された信号に基づいて、ＲＮＣ３０から要求された測定項目、測定方法を受信電力測定部５３、位置更新タイミング管理部５４及び位置測定部５５に設定する。
【０００７】
受信電力測定部５３は、測定情報設定部５２の設定に従って、受信部５１から出力された信号から各Ｎｏｄｅ Ｂ２０からの下り物理チャネルの受信強度を測定し、測定した受信強度を測定情報生成部５６に出力する。
【０００８】
位置更新タイミング管理部５４は、測定情報設定部５２に設定された測定方法に基づいて、位置情報の更新タイミングを管理し、位置更新タイミングを位置測定部５５に通知する。
【０００９】
位置測定部５５は、測定情報設定部５２及び位置更新タイミング管理部５４からの指示に従ってＵＥ１０の現在位置を測定し、測定した現在位置を測定情報生成部５６に通知する。
【００１０】
測定情報生成部５６は、受信電力測定部５３から通知された受信電力、位置測定部５５から通知されたＵＥ１０の現在位置、その他トラヒック量等を示す測定情報メッセージを生成し、生成した測定情報メッセージを送信部５７に出力する。
【００１１】
送信部５７は、測定情報生成部５６から出力された情報に所定の送信処理を行うことにより、無線フレームを形成し、形成した無線フレームをＮｏｄｅ Ｂ２０に送信する。
【００１２】
次に、ＲＮＣ３０の構成について説明する。受信部６１は、Ｎｏｄｅ Ｂ２０から送信されたフレームを受信し、受信したフレームに所定の受信処理を行い、受信処理した信号を測定情報処理部６２に出力する。
【００１３】
測定情報処理部６２は、受信部６１から出力された信号に含まれるＵＥ１０からの測定情報メッセージを処理し、測定情報メッセージからＵＥ１０の位置情報、下り物理チャネルの受信強度、トラヒック量等を抽出する。抽出したＵＥ１０の位置情報は位置情報管理部６３に、下り物理チャネルの受信強度はハンドオーバ制御部６５にそれぞれ出力される。また、ＵＥ１０の位置情報、下り物理チャネルの受信強度、トラヒック量等の測定情報は測定情報制御部６４に出力される。
【００１４】
位置情報管理部６３は、測定情報処理部６２から出力されたＵＥ１０の位置情報に基づいて、無線ネットワーク内のＵＥの位置を管理する。
【００１５】
測定情報制御部６４は、測定情報処理部６２から出力された測定情報に基づいて、ＵＥ１０で測定する項目（下り物理チャネルの受信強度や位置情報、トラヒック量等）及び方法等を決定し、決定した項目及び方法等を制御情報生成部６６に通知する。
【００１６】
ハンドオーバ制御部６５は、測定情報処理部６２から出力されたＵＥ１０からの下り物理チャネルの受信強度に基づいて、ＵＥ１０のハンドオーバを制御する。ハンドオーバを行う場合には、制御情報生成部６６にハンドオーバ指示メッセージの生成を要求する。
【００１７】
制御情報生成部６６は、測定情報制御部６４から通知された測定項目及び測定方法等をＵＥ１０に指示する測定情報制御メッセージ、及び、ハンドオーバ制御部６５から要求されたハンドオーバ指示メッセージを生成し、生成した制御メッセージを送信部６７に出力する。
【００１８】
送信部６７は、制御情報生成部６６から出力された制御メッセージに送信処理を行うことにより、フレームを生成し、生成したフレームをＮｏｄｅ Ｂ２０に送信する。
【００１９】
次に、ＵＥ１０からＲＮＣ３０への測定情報報告手順について説明する。ＵＥ１０の受信部５１では、ＲＮＣ３０からの測定情報制御メッセージを受信し、測定情報設定部５２では、測定情報制御メッセージによって指示された測定項目及び測定方法等を各処理部に設定する。
【００２０】
測定情報制御メッセージの測定項目が下り物理チャネルの受信強度の場合には、測定方法とＲＮＣ３０に報告する際の条件（報告条件）を受信電力測定部５３に設定する。また、測定項目がＵＥ１０の位置情報の場合には、位置更新間隔を位置更新タイミング管理部５４に設定すると共に、位置測定部５５に測定方法を設定する。
【００２１】
受信電力測定部５３では、各Ｎｏｄｅ Ｂからの下り物理チャネルの受信強度を逐次測定し、報告条件を満足した場合に、測定情報生成部５６にＲＮＣ３０へ測定情報を報告するよう要求する。
【００２２】
位置測定部５５では、位置更新タイミング管理部５４の指示により、位置更新間隔Ｔ毎にＲＮＣ３０へ前回登録した位置からの移動量を測定し、測定情報生成部５６にＲＮＣ３０へのＵＥ１０の位置情報の報告を要求する。
【００２３】
測定情報生成部５６では、各処理部の測定情報を測定情報メッセージに設定し、送信部５７からＮｏｄｅ Ｂ２０に送信する。位置情報が位置更新間隔Ｔ［ｓ］毎に生成されるため、測定情報メッセージもＴ［ｓ］毎に送信される。
【００２４】
Ｎｏｄｅ Ｂ２０では、ＵＥ１０から受信した無線フレームをフレームに変換し、ＲＮＣ３０に転送する。また、ＲＮＣ３０から受信したフレームを無線フレームに変換し、ＵＥ１０に送信する。
【００２５】
ＲＮＣ３０の受信部６１では、Ｎｏｄｅ Ｂ２０から転送されたフレームを受信し、受信したフレームに所定の受信処理を行い、フレームが測定情報メッセージの場合には、受信処理した信号を測定情報処理部６２に出力し、測定情報処理部６２では、測定情報メッセージから測定情報を抽出する。
【００２６】
抽出した情報が下り物理チャネルの受信強度情報の場合には、ハンドオーバ制御部６５にその情報を転送する。また、抽出した情報がＵＥ１０の位置情報の場合には、位置情報管理部６３にその情報を転送する。さらに、抽出した情報を測定情報制御部６４に転送する。
【００２７】
位置情報管理部６３では、測定情報処理部６２から転送されたＵＥ１０の位置情報を管理テーブルに登録し、無線ネットワーク内のＵＥ１０の位置を管理する。
【００２８】
測定情報制御部６４では、ＵＥ１０が測定する項目（下り物理チャネルの受信強度や位置情報、トラヒック量等）及び測定方法等を決定し、制御情報生成部６６に測定項目及び測定方法等を測定情報制御メッセージに設定するよう指示する。
【００２９】
ハンドオーバ制御部６５では、測定情報処理部６２から転送された下り物理チャネルの受信強度情報に基づいて、当該ＵＥのハンドオーバを行うか否かを判断する。ハンドオーバを行うと判断した場合には、制御情報生成部６６にＵＥ１０へのハンドオーバ指示メッセージの生成を要求する。
【００３０】
制御情報生成部６６では、各制御メッセージを生成し、送信部６７で各制御メッセージをフレームに変換してＮｏｄｅ Ｂ２０に送信する。
【００３１】
また、非特許文献２に開示されている測定情報メッセージ（ＵＥ１０の位置情報）の送信手順を図７に示す。図７において、ステップ（以下、「ＳＴ」と省略する）７１では、ＲＮＣ３０がＵＥ１０の位置測定方法、位置更新間隔Ｔを測定情報制御メッセージに設定して、ＵＥ１０に送信する。
【００３２】
ＳＴ７２では、測定情報制御メッセージを受信したＵＥ１０が、位置測定方法を位置測定部５５に、位置更新間隔Ｔを位置更新タイミング管理部５４に設定する。
【００３３】
ＳＴ７３では、Ｔ[ｓ]毎にＵＥ１０の位置情報を測定情報メッセージに設定してＲＮＣ３０に送信する。
【非特許文献１】3GPP, TS25.401UTRAN overall description，V6.3.0
【非特許文献２】3GPP, TS25.331 Radio Resource Control (RRC)，V6.2.0
【発明の開示】
【発明が解決しようとする課題】
【００３４】
しかしながら、複数のＵＥが電車又はバス等の同一の移動体に存在する場合、各ＵＥからＲＮＣへ報告される位置情報（移動量）が同じ情報となり、同一移動体に存在する１つのＵＥの位置情報で全てのＵＥの位置情報を報告することが可能であるにもかかわらず、各ＵＥから同じ情報が同じ間隔で送信され、各ＵＥの電力が無駄に消費されるという問題がある。
【００３５】
本発明はかかる点に鑑みてなされたものであり、同一移動体に存在する移動端末の位置情報の登録更新に要する電力消費を低減する無線ネットワーク制御局装置及び位置登録更新制御方法を提供することを目的とする。
【課題を解決するための手段】
【００３６】
本発明の第１の態様は、同一移動体に存在する複数の移動端末をグループ化するグループ化処理手段と、グループ化された移動端末の位置情報を前記グループ化した移動端末に更新させるタイミング及び更新間隔を変更する位置登録更新制御手段と、を具備する無線ネットワーク制御局装置である。
【００３７】
この構成によれば、グループ化された移動端末の位置情報を更新させるタイミング及び更新間隔を変更することにより、位置情報の精度を劣化させることなく、移動端末における位置情報の登録更新頻度を減少させることができる。
【００３８】
本発明の第２の態様は、上記態様において、前記グループ化処理手段が、移動端末から報告された下り物理チャネルの受信強度の時間変動パターンに基づいて、移動端末をグループ化する無線ネットワーク制御局装置である。
【００３９】
この構成によれば、下り物理チャネルの受信強度の時間変動パターンが同一となる移動端末は、同一移動体に存在すると考えられるので、移動端末を精度良くグループ化することができる。
【００４０】
本発明の第３の態様は、上記態様において、前記位置登録更新制御手段が、グループ化された移動端末毎に位置情報を更新させるタイミングをずらし、グループ化されていない移動端末における位置情報の更新間隔に対してグループ化された移動端末数で乗じた値をグループ化された移動端末における位置情報の更新間隔とする無線ネットワーク制御局装置である。
【００４１】
この構成によれば、グループ化された移動端末が多いほど、１つの移動端末における位置情報の登録更新頻度を減少させることができる。
【００４２】
本発明の第４の態様は、同一移動体に存在する複数の移動端末をグループ化するグループ化処理工程と、グループ化した移動端末の位置情報を前記グループ化した移動端末に更新させるタイミング及び更新間隔を変更する位置登録更新制御工程と、を具備する位置登録更新制御方法である。
【００４３】
この方法によれば、グループ化された移動端末の位置情報を更新させるタイミング及び更新間隔を変更することにより、位置情報の精度を劣化させることなく、移動端末における位置情報の登録更新頻度を減少させることができる。
【発明の効果】
【００４４】
本発明によれば、同一移動体に存在する移動端末の位置情報の測定及び送信に要する電力消費を低減することができる。
【発明を実施するための最良の形態】
【００４５】
以下、本発明の実施の形態について、図面を参照して詳細に説明する。
【００４６】
（一実施の形態）
図１は、本発明の一実施の形態に係るＵＥ及びＲＮＣの制御系の構成を示すブロック図である。まず、ＵＥ１００の構成について説明する。受信部１０１は、Ｎｏｄｅ Ｂから送信された無線フレームを受信し、受信した無線フレームに所定の受信処理を行い、受信処理した信号を測定情報設定部１０２及び受信電力測定部１０３に出力する。
【００４７】
測定情報設定部１０２は、受信部１０１から出力された信号に基づいて、ＲＮＣ２００から要求された測定項目、測定方法を受信電力測定部１０３、位置更新タイミング管理部１０４及び位置測定部１０５に設定する。
【００４８】
受信電力測定部１０３は、測定情報設定部１０２の設定に従って、受信部１０１から出力された信号から各Ｎｏｄｅ Ｂからの下り物理チャネルの受信強度を測定し、測定した受信強度を測定情報生成部１０６に出力する。
【００４９】
位置更新タイミング管理部１０４は、測定情報設定部１０２に設定された測定方法に基づいて、位置情報の更新タイミングを管理し、位置更新タイミングを位置測定部１０５に通知する。
【００５０】
位置測定部１０５は、測定情報設定部１０２及び位置更新タイミング管理部１０４からの指示に従ってＵＥ１００の現在位置を測定し、測定した現在位置を測定情報生成部１０６に通知する。
【００５１】
測定情報生成部１０６は、受信電力測定部１０３から通知された受信電力、位置測定部１０５から通知されたＵＥ１００の現在位置、その他トラヒック量等を示す測定情報メッセージを生成し、生成した測定情報メッセージを送信部１０７に出力する。
【００５２】
送信部１０７は、測定情報生成部１０６から出力された情報に所定の送信処理を行うことにより、無線フレームを形成し、形成した無線フレームをＮｏｄｅ Ｂに送信する。
【００５３】
次に、ＲＮＣ２００の構成について説明する。受信部２０１は、Ｎｏｄｅ Ｂから送信されたフレームを受信し、受信したフレームに所定の受信処理を行い、受信処理した信号を測定情報処理部２０２に出力する。
【００５４】
測定情報処理部２０２は、受信部２０１から出力された信号に含まれるＵＥ１００からの測定情報メッセージを処理し、測定情報メッセージからＵＥ１００の位置情報、下り物理チャネルの受信強度、トラヒック量等を抽出する。抽出したＵＥ１００の位置情報は位置情報管理部２０３に、下り物理チャネルの受信強度はハンドオーバ制御部２０６にそれぞれ出力される。また、ＵＥ１００の位置情報、下り物理チャネルの受信強度、トラヒック量等の測定情報はグループ化処理部２０４及び測定情報制御部２０５に出力される。
【００５５】
位置情報管理部２０３は、測定情報処理部２０２から出力されたＵＥ１００の位置情報に基づいて、無線ネットワーク内のＵＥの位置を管理する。
【００５６】
グループ化処理部２０４は、測定情報処理部２０２から出力されたＵＥ１００の測定情報に基づいて、ＵＥのグループ化を行い、グループ化の情報を測定情報制御部２０５に通知する。グループ化方法の詳細については後述する。
【００５７】
位置登録更新制御手段としての測定情報制御部２０５は、グループ化処理部２０４から通知された測定情報に基づいて、各ＵＥの位置更新タイミング及び位置更新間隔を変更し、変更した位置更新タイミング及び位置更新間隔を制御情報生成部２０７に通知する。
【００５８】
ハンドオーバ制御部２０６は、測定情報処理部２０２から出力されたＵＥ１００からの下り物理チャネルの受信強度に基づいて、ＵＥ１００のハンドオーバを制御する。ハンドオーバを行う場合には、制御情報生成部２０７にハンドオーバ指示メッセージの生成を要求する。
【００５９】
制御情報生成部２０７は、測定情報制御部２０５から通知された各ＵＥの位置更新タイミング及び位置更新間隔を指示する測定情報制御メッセージ、及び、ハンドオーバ制御部２０６から要求されたハンドオーバ指示メッセージを生成し、生成した制御メッセージを送信部２０８に出力する。
【００６０】
送信部２０８は、制御情報生成部２０７から出力された制御メッセージに送信処理を行うことにより、フレームを生成し、生成したフレームをＮｏｄｅ Ｂに送信する。
【００６１】
ここで、グループ化処理部２０４におけるＵＥのグループ化方法について図２を用いて具体的に説明する。グループ化処理部２０４は、図２に示すように、各ＵＥ（ＵＥ１〜３）から報告された下り物理チャネルの受信強度を保持し、受信強度の時間変動パターンをＵＥ毎に生成する。そして、生成した各ＵＥの時間変動パターンを比較し、同一の時間変動パターンとなる複数のＵＥを同一グループとしてグループ化する。
【００６２】
図２に示す例では、ＵＥ１〜３の時間変動パターンが同一である場合を示しているので、ＵＥ１〜３は同一グループとしてグループ化される。なお、ＵＥのグループ化方法としては、ここで説明した方法以外の方法を用いてもよい。
【００６３】
次に、ＵＥのグループ化による位置更新タイミング及び位置更新間隔の変更手順について図３を用いて説明する。図３において、ステップ（以下、「ＳＴ」と省略する）３０１では、ＵＥ１００がＵＥ１００の位置情報を含む測定情報メッセージをＲＮＣ２００に送信し、ＳＴ３０２では、ＳＴ３０１において送信された位置情報に対して位置更新間隔Ｔ１で生成したＵＥ１００の位置情報を含む測定情報メッセージをＲＮＣ２００に送信する。
【００６４】
ＳＴ３０３では、ＵＥ１００が測定した下り物理チャネルの受信強度を含む測定情報メッセージをＲＮＣ２００に送信する。
【００６５】
ＳＴ３０４では、ＲＮＣ２００が各ＵＥから送信された測定情報に基づいて、ＵＥのグループ化を行う。
【００６６】
ＳＴ３０５では、ＲＮＣ２００がＵＥのグループ化情報に基づいて、各ＵＥの位置更新タイミング及び位置更新間隔を変更する。位置更新タイミング及び位置更新間隔の具体的な変更方法については後述する。
【００６７】
ＳＴ３０６では、ＳＴ３０５において変更した位置更新タイミング及び位置更新間隔をＲＮＣ２００が測定情報制御メッセージ（ＵＥの位置情報）に設定し、ＵＥ１００に送信する。
【００６８】
ＳＴ３０７では、ＵＥ１００がＲＮＣ２００から受信した測定情報制御メッセージ（ＵＥの位置情報）を測定情報設定部１０２で処理し、測定情報設定部１０２は測定情報制御メッセージ（ＵＥの位置情報）に含まれた位置更新タイミングと位置更新間隔を位置更新タイミング管理部１０４に設定する。
【００６９】
ＳＴ３０８では、ＵＥ１００は新規の位置更新タイミングでＵＥ１００の移動量を測定し、測定情報メッセージをＲＮＣ２００に送信する。そして、新規の位置更新間隔Ｔ２で周期的にＵＥの移動量を測定し、測定情報メッセージをＲＮＣ２００に送信する。
【００７０】
次に、位置更新タイミング及び位置更新間隔の具体的な変更方法について図４を用いて説明する。ここでは、ＵＥ１〜３が同一の移動体に存在し、グループ化されたものとする。このとき、ＵＥ１〜３からＲＮＣへ報告されるＵＥの位置情報は同じ情報となる。そのため、ＵＥ１から送信されたＵＥの位置情報を、グループ化されたＵＥ１〜３の全ての位置情報として使用することが可能である。また、ＵＥ２、ＵＥ３から送信されたＵＥの位置情報も同様である。
【００７１】
そこで、位置更新タイミングをＵＥ毎に元の位置更新間隔Ｔ１ずつずらし、位置更新間隔をグループ化されたＵＥ数倍（ここでは３倍）した値Ｔ２に設定する。これにより、位置情報の精度を劣化させることなく、各ＵＥが位置情報を測定及び送信する頻度を減少させ、これに伴い、位置情報の測定及び送信に要する電力消費を低減することができる。
【００７２】
このように本実施の形態によれば、同一移動体に存在する複数の移動端末をグループ化し、グループ化した移動端末の位置更新タイミングをグループ化していない移動端末の位置更新間隔ずつずらし、また、グループ化していない移動端末の位置更新間隔に対してグループ化した移動端末数を乗じた値をグループ化した移動端末の位置更新間隔とすることにより、移動端末における位置情報の登録更新の頻度を減少させることができるので、同一移動体に存在する移動端末の位置情報の登録更新に要する電力消費を低減することができる。
【産業上の利用可能性】
【００７３】
本発明にかかる無線ネットワーク制御局装置及び位置登録更新制御方法は、同一移動体に存在する移動端末の位置情報の登録更新に要する電力消費を低減することができ、Ｗ−ＣＤＭＡ移動体通信システム等に適用することができる。
【図面の簡単な説明】
【００７４】
【図１】本発明の一実施の形態に係るＵＥ及びＲＮＣの制御系の構成を示すブロック図
【図２】図１に示したグループ化処理部におけるＵＥのグループ化方法の説明に供する図
【図３】ＵＥのグループ化による位置更新タイミング及び位置更新間隔の変更手順を示すシーケンス図
【図４】位置更新タイミング及び位置更新間隔の具体的な変更方法の説明に供する図
【図５】非特許文献１に開示された移動通信システムの構成を示す図
【図６】図５に示したＵＥとＲＮＣの制御系のシステム構成を示すブロック図
【図７】非特許文献２に開示されている測定情報メッセージの送信手順を示すシーケンス図
【符号の説明】
【００７５】
１００  ＵＥ
１０１、２０１  受信部
１０２  測定情報設定部
１０３  受信電力測定部
１０４  位置更新タイミング管理部
１０５  位置測定部
１０６  測定情報生成部
１０７、２０８  送信部
２００  ＲＮＣ
２０２  測定情報処理部
２０３  位置情報管理部
２０４  グループ化処理部
２０５  測定情報制御部
２０６  ハンドオーバ制御部
２０７  制御情報生成部
【図１】
2006222542.tif 000003
【図２】
2006222542.tif 000004
【図３】
2006222542.tif 000005
【図４】
2006222542.tif 000006
【図５】
2006222542.tif 000007
【図６】
2006222542.tif 000008
【図７】
2006222542.tif 000009